(57)【要約】【課題】  制御機器やファンが発生する熱の有効利用を可能にする、省エネルギーでコンパクトな混合ガスユニットとそれを備えたユニットバーナ及びファンユニットを提供することを課題とする。【解決手段】  空気吸引口と混合ガス接続口とを備え、内側が空気流路となるハウジングと、当該ハウジング内側の空気流路内に配置されたファン、駆動・制御ユニット及び／又は電磁弁とを有し、前記ハウジングは、前記混合ガス接続口よりも内側にガス混合部を備え、当該ガス混合部は、当該ガス混合部に向かって開口する空気供給口及び燃焼ガス供給口を有しており、当該空気供給口は前記空気吸引口と連通し、当該燃焼ガス供給口は、前記電磁弁を介して若しくは介さずに、ハウジング外部に開口するガス接続口と接続されている混合ガスユニットとユニットバーナ及びファンユニットを提供することによって解決する。【選択図】  図１
2011099658.tif 000002
【特許請求の範囲】
【請求項１】
空気吸引口と混合ガス接続口とを備え、内側が空気流路となるハウジングと、当該ハウジング内側の空気流路内に配置されたファンと、当該ハウジング内側の空気流路内に配置された駆動・制御ユニット及び／又は電磁弁とを有し、前記ハウジングは、前記混合ガス接続口よりも内側にガス混合部を備え、当該ガス混合部は、当該ガス混合部に向かって開口する空気供給口及び燃焼ガス供給口を有しており、当該空気供給口は前記空気吸引口と連通し、当該燃焼ガス供給口は、前記電磁弁を介して若しくは介さずに、ハウジング外部に開口するガス接続口と接続されている混合ガスユニット。
【請求項２】
前記空気吸引口よりもハウジング内側に円筒状のフィルターエレメントを有し、前記ファンが前記円筒状のフィルターエレメントの内側に当該フィルターエレメントと同軸に配置された軸流ファンである請求項１記載の混合ガスユニット。
【請求項３】
前記ハウジングが、前記空気吸引口と、前記フィルターエレメントと、前記軸流ファンとを有する部分と、前記駆動・制御ユニット及び／又は電磁弁と、前記ガス混合部と、混合ガス接続部とを有する部分との間で、２つに、着脱自在に分割されている請求項２記載の混合ガスユニット。
【請求項４】
前記ハウジングが、前記空気吸引口と、前記フィルターエレメントとを有する部分と、前記軸流ファンと、前記駆動・制御ユニット及び／又は電磁弁と、前記ガス混合部と、混合ガス接続部とを有する部分との間で、２つに、着脱自在に分割されている請求項２記載の混合ガスユニット。
【請求項５】
請求項１〜４のいずれかに記載の混合ガスユニットと、その混合ガスユニットの混合ガス接続口に接続されたバーナとを有するユニットバーナ。
【請求項６】
円筒状のフィルターエレメントと、その円筒状のフィルターエレメントの内側に当該フィルターエレメントと同軸に配置され、当該フィルターエレメントを介して空気を吸引する軸流ファンと、当該軸流ファンによって吸引された空気を送出する空気送出口を備えているファンユニット。
【請求項７】
請求項６記載のファンユニットを燃焼用空気供給口に接続してなるバーナ。
【発明の詳細な説明】
【技術分野】
【０００１】
本発明は、バーナなどの燃焼装置に空気と燃焼ガスとの混合ガスを供給する、省エネルギーでコンパクトな混合ガスユニットと、それを備えたユニットバーナ、及びファンユニットに関する。
【背景技術】
【０００２】
ガス状燃料をエネルギー源とするバーナなどの燃焼装置においては、燃料ガスと空気とを予め所定の比率で混合してから燃焼装置に供給することが必要であり、従来から、例えば特許文献１、２に見られるように、電磁弁やその開度を調節するコントローラなどの制御機器を用いて、燃料ガス又は空気の量に応じて、空気又は燃料ガスの量を調節することが行われている。
【０００３】
しかし、これら従来の燃焼装置においては、電磁弁やコントローラなどの制御機器やファンは、燃焼用空気の送風路とは別に、送風路の外部に配置されるのが常であり、制御機器やファン独自の配置スペースを必要とし、燃焼装置全体をコンパクトに小型化することには限界があった。
【０００４】
また、電磁弁やコントローラなどの制御機器やファンは、それ自身が発熱体であり、作動に伴い熱を発しているにも係わらず、それら電磁弁やコントローラなどの制御機器やファンが発生する熱量を有効に利用しようという発想は、本発明者らが知る限り、これまで全く存在しなかった。
【先行技術文献】
【特許文献】
【０００５】
【特許文献１】特開２００３−３００８６号公報
【特許文献２】特開２００４−１２０１８号公報
【発明の開示】
【発明が解決しようとする課題】
【０００６】
本発明は従来の燃焼装置における上記の問題点を解決するために為されたもので、ガス状燃料をエネルギー源とするバーナなどの燃焼装置の小型化を可能にし、また、電磁弁やコントローラなどの制御機器やファンが発生する熱を有効に利用することを可能にする、省エネルギーでコンパクトな混合ガスユニットとそれを備えたユニットバーナ及びファンユニットを提供することを課題とする。
【課題を解決するための手段】
【０００７】
本発明者らは、上記の課題を解決すべく鋭意研究を重ねた結果、これまでとは全く発想を変え、電磁弁やコントローラなどの制御機器やファンを、燃焼用空気の空気流路内に配置することによって、バーナなどの燃焼装置に混合ガスを供給する混合ガスユニットをコンパクトに小型化することができることを見出した。また、上記のように構成するときには、空気流路内に配置された電磁弁やコントローラなどの制御機器やファンと、その周囲を通過する燃焼用空気との間で熱交換を行わせて、制御機器やファン、特にファンのモータが発する熱を有効に利用できることを見出して、本発明を完成した。
【０００８】
すなわち、本発明は、空気吸引口と混合ガス接続口とを備え、内側が空気流路となるハウジングと、当該ハウジング内側の空気流路内に配置されたファンと、当該ハウジング内側の空気流路内に配置された駆動・制御ユニット及び／又は電磁弁とを有し、前記ハウジングは、前記混合ガス接続口よりも内側にガス混合部を備え、当該ガス混合部は、当該ガス混合部に向かって開口する空気供給口及び燃焼ガス供給口を有しており、当該空気供給口は前記空気吸引口と連通し、当該燃焼ガス供給口は、前記電磁弁を介して若しくは介さずに、ハウジング外部に開口するガス接続口と接続されている混合ガスユニットを提供することによって、上記の課題を解決するものである。
【０００９】
好適な一態様において、本発明の混合ガスユニットは、前記空気吸引口よりもハウジング内側に円筒状のフィルターエレメントを有し、前記ファンが前記円筒状のフィルターエレメントの内側に当該フィルターエレメントと同軸に配置された軸流ファンである。フィルターエレメントと軸流ファンとをこのような配置にするときには、両者を非常にコンパクトに組み合わせることができるとともに、軸流ファンによって吸引される空気と軸流ファンとの間での熱交換が可能となり、軸流ファン、特にそのモータによって発生する熱量を有効に利用することができる。
【００１０】
また、好適な一態様において、本発明の混合ガスユニットは、そのハウジングが、前記空気吸引口と、前記フィルターエレメントと、前記軸流ファンとを有する部分と、前記駆動・制御ユニット及び／又は電磁弁と、前記ガス混合部と、混合ガス接続部とを有する部分との間で、２つに、着脱自在に分割されている。分割された、フィルターエレメントと軸流ファンとを有する部分は、そのままファンユニットとして利用することができる。
【００１１】
さらに、好適な一態様において、本発明の混合ガスユニットは、そのハウジングが、前記空気吸引口と、前記フィルターエレメントとを有する部分と、前記軸流ファンと、前記駆動・制御ユニット及び／又は電磁弁と、前記ガス混合部と、混合ガス接続部とを有する部分との間で、２つに、着脱自在に分割されている。分割された、フィルターエレメントを有する部分は、そのままフィルターユニットとして利用することができる。
【００１２】
また、本発明は、上記のような混合ガスユニットと、その混合ガスユニットの混合ガス接続口に接続されたバーナとを有するユニットバーナを提供することによって、上記の課題を解決するものである。
【００１３】
さらに、本発明は、円筒状のフィルターエレメントと、その円筒状のフィルターエレメントの内側に当該フィルターエレメントと同軸に配置され、当該フィルターエレメントを介して空気を吸引する軸流ファンと、当該軸流ファンによって吸引された空気を送出する空気送出口を備えているファンユニットを提供することによって、上記の課題を解決するものである。
【００１４】
本発明の混合ガスユニット及びファンユニットは、ガス状燃料をエネルギー源とするバーナなどの燃焼装置における混合ガス供給源として用いることができる。本発明の混合ガスユニット及びファンユニットが対象とする燃焼装置には、それが混合ガス供給源を必要とするものである限り、特に制限はなく、全一次空気燃焼式のものであっても良いし、一次空気とは別に二次空気を供給して燃焼させる方式のものであっても良い。
【発明の効果】
【００１５】
本発明の混合ガスユニット及びそれを備えたユニットバーナによれば、ハウジング内の空気流路内に、電磁弁及び駆動・制御ユニットの双方又はいずれか一方、及びファンが配置されているので、混合ガスユニット全体をコンパクトに小型化できるとともに、空気流路内を通過する燃焼用空気と、電磁弁及び／又は駆動・制御ユニット、及びファンとの間で熱交換を行わせて、ファンや、電磁弁、駆動・制御ユニットが発する熱を有効に利用して燃焼用空気の温度を上げることができるので、エネルギーの節約となり、省エネルギーに寄与するという利点が得られる。また、本発明のファンユニットによれば、フィルターエレメントと軸流ファンとが極めてコンパクトに配置されているので、ファンユニットを小型化し、さらには、それを用いる混合ガスユニット及びバーナをコンパクトに小型化することができるという利点が得られる。
【図面の簡単な説明】
【００１６】
【図１】本発明の混合ガスユニットの一例を示す縦断面図である。
【図２】図１のＸ−Ｘ’断面図である。
【図３】本発明の混合ガスユニットの他の一例を示す縦断面図である。
【図４】図３のＹ−Ｙ’断面図である。
【図５】本発明の混合ガスユニットのさらに他の一例を示す縦断面図である。
【図６】本発明の混合ガスユニットのさらに他の一例を示す縦断面図である。
【図７】本発明の混合ガスユニットのさらに一例を示す縦断面図である。
【図８】図７のＺ−Ｚ’断面図である。
【図９】図７のγ−γ’断面図である。
【図１０】本発明のファンユニットの応用例を示す部分断面側面図である。
【発明を実施するための最良の形態】
【００１７】
以下、本発明を詳細に説明するが、本発明が図示のものに限られないことは勿論である。
【００１８】
図１は、本発明の混合ガスユニットの一例を示す縦断面図、図２はそのＸ−Ｘ’断面図である。図１において、１は本発明の混合ガスユニット、２はそのハウジング、３は空気吸引口、４は混合ガス接続口である。混合ガス接続口４の先には、図示しないバーナなどの燃焼装置が接続される。
【００１９】
５は円筒状のフィルターエレメント、６は軸流ファンであり、軸流ファン６は、図に示すとおり、フィルターエレメント５の内側に、フィルターエレメント５と同軸に配置されている。７はガス接続口、８は燃料ガス管、９は電磁弁、１０は燃料ガス供給管である。燃料ガス供給管１０の先端部は封止されており、その代わり、燃料ガス供給管１０の先端部近傍には、横向きに複数の燃料ガス供給口１１が設けられている。１２は、混合ガス接続口４とハウジング２の内側とを区切る閉塞体であり、閉塞体１２には、図２に示すように、複数の空気供給口１３が設けられている。なお、閉塞体１２は必須のものではなく、場合によっては設けなくても良い。閉塞体１２が存在しない場合には、混合ガス接続口４の内側と、燃料ガス供給管１０の外側との間が、空気供給口１３となる。
【００２０】
αは、空気供給口１３から噴出する空気と、燃料ガス供給口１１から噴出する燃料ガスの混合部であり、図１に示すとおり、ガス混合部αは、混合ガス接続口４よりも、ハウジング２の内側に設けられている。１４は燃料ガス供給管１０をハウジング２に対して所定位置に固定する固定部材である。
【００２１】
１５は駆動・制御ユニットであり、駆動・制御ユニット１５内には、交流・直流変換器や、電圧調整器、マイクロコンピュータなどの半導体装置が装備されている。１６は空気圧力スイッチ、１６ａはその空気圧検出用の開口である。図１に示すとおり、駆動・制御ユニット１５と、軸流ファン６、電磁弁９、及び空気圧力スイッチ１６とは、図中破線で示す信号線で接続されている。
【００２２】
このように、本例の混合ガスユニット１においては、空気流路となるハウジング２内に、フィルターエレメント５や軸流ファン６はもとより、電磁弁９や駆動・制御ユニット１５までもが配置されているので、全体が非常にコンパクトで、小型化できるという利点がある。
【００２３】
次に、図１に示す混合ガスユニット１の動作について説明する。まず、動作開始に際しては、駆動・制御ユニット１５は、図示しない交流電源から電力の供給を受け、それを内部に装備している交流・直流変換器によって直流に変換し、予め定められた電圧に調整して軸流ファン６に供給する。直流電圧の供給を受けた軸流ファン６は、その直流電圧に比例する回転数で回転を開始する。
【００２４】
なお、本例においては、軸流ファン６は供給される直流電圧の高低に応じて回転数が変化する直流モータを駆動源としているので、駆動・制御ユニット１５は、軸流ファン６に供給する直流電圧を調整することにより、軸流ファン６の回転数を制御し、それによって混合部αに供給される空気量を変化させるように構成されているが、軸流ファン６の駆動源は、供給を受ける交流電力の周波数によってその回転速度を変える交流モータであっても良い。軸流ファン６の駆動源が交流モータである場合には、駆動・制御ユニット１５は、交流・直流変換器に代えて、その内部に、周波数調整器を備えることになる。
【００２５】
軸流ファン６が回転すると、燃焼用空気が空気吸引口３からハウジング２内に吸引され、図中矢印で示すように、フィルターエレメント５を通過し、軸流ファン６を抜けて、空気流路となっているハウジング２の内側を通って、閉塞体１２へと送出される。このとき、燃焼用空気は、軸流ファン６のモータの周囲は勿論、ハウジング２内に配置されている電磁弁９や、駆動・制御ユニット１５の周囲を通過し、軸流ファン６のモータや、電磁弁９、駆動・制御ユニット１５との間で熱交換を行い、軸流ファン６のモータや、電磁弁９、駆動・制御ユニット１５内の交流・直流変換器や半導体装置が発している熱量によって、その温度が高められ、予熱を受けることになる。逆に、軸流ファン６のモータや、電磁弁９、駆動・制御ユニット１５内の交流・直流変換器や半導体装置は、ハウジング２内を通過する燃焼用空気によって冷却されることになる。なお、電磁弁９や駆動・制御ユニット１５の外周には、熱伝導性の良い材料で構成されたフィンを取り付けて、熱交換効率を高めるようにしても良い。閉塞体１２へと送出された燃焼用空気は、閉塞体１２に設けられている複数の空気供給口１３から混合部αへと噴出する。
【００２６】
一方、駆動・制御ユニット１５は、電磁弁９に動作開始信号を送り、電磁弁９を「開」又は「動作開始」にする。電磁弁９が「開」又は「動作開始」になると、図示しない燃料ガス供給源からガス接続口７に供給されていた燃料ガスは、電磁弁９を通り、燃料ガス供給管１０を抜けて、燃料ガス供給口１１から混合部αへと噴出する。混合部αに噴出した燃料ガスは、そこで空気供給口１３から噴出する空気と混合して混合ガスとなり、混合ガス接続口４から図示しないバーナなどの燃焼装置に供給されることになる。
【００２７】
燃料ガス供給口１１から混合部αに噴出する燃料ガスの量は、電磁弁９の開度を調節することによって調節できる。この調節は、軸流ファン６の回転数に対応して駆動・制御ユニット１５が行うようにしても良いし、例えば、電磁弁９として、ファンからの空気量に比例してガス量を自動的に変化させる複合電磁弁を用いる場合には、電磁弁９自身の自動調節機能に任せても良い。電磁弁９として、上述したような複合電磁弁を用いる場合には、駆動・制御ユニット１５は、混合ガス接続口４から送出する混合ガス量を変化させる場合にも、軸流ファン６の回転数だけを調節すれば良いので、制御が簡単になるという利点が得られる。
【００２８】
また、本発明の混合ガスユニット１においては、ハウジング２の内側を空気流路としており、空気流路の形状が複雑であるので、軸流ファン６の回転数に基づいて電磁弁９を通過する燃料ガス量を調節するよりは、電磁弁９として複合電磁弁を使用し、電磁弁９自身に周囲の空気量を検知させて、電磁弁９を通過する燃料ガス量を調節させる方が、空気に対する燃料ガスの比率をより正確に制御することができるという利点がある。
【００２９】
なお、何らかの原因で、軸流ファン６が回転を停止するか、回転速度が非常に低下して、ハウジング２内を通過する空気量が不足した場合には、空気圧力スイッチ１６が作動して、信号を駆動・制御ユニット１５に送り、駆動・制御ユニット１５は、電磁弁９を「閉」にして、混合部αへの燃料ガスの供給を停止する。また、空気圧力スイッチ１６がハウジング２内に一定値以上の空気圧力を検知したときに、駆動・制御ユニット１５が、電磁弁９に動作開始信号を送るようにしても良い。
【００３０】
軸流ファン６が回転数発振器を装備している場合には、その信号を駆動・制御ユニット１５に送り、軸流ファン６の回転数が予め定めた一定値以上に上昇したときに、駆動・制御ユニット１５が、電磁弁９に動作開始信号を送るようにし、一定値以下に低下したときに、電磁弁９を「閉」にして、混合部αへの燃料ガスの供給を停止するようにしても良い。この場合、空気圧力スイッチ１６は設けなくても良い。
【００３１】
なお、以上説明した例においては、フィルターエレメント５としては円筒状のフィルターエレメントが用いられているが、本発明の混合ガスユニット１で使用できるフィルターエレメント５の形状は円筒状に限られない。例えば、空気吸引口３の開口部をカバーする形状の板状のフィルターエレメントであっても良い。また、本発明の混合ガスユニット１で使用できるファンも、軸流ファン６に限られず、空気吸引口３から空気を吸引し、空気供給口１３へと送出することができる限り、例えば、シロッコファンなどの他の型のファンやブロアーなどを用いても良い。
【００３２】
図３は、本発明の混合ガスユニット１の他の例を示す部分縦断面図、図４はそのＹ−Ｙ’断面図である。図に示すとおり、本例の混合ガスユニット１には、ハウジング２の内側から、閉塞体１２へと向かう空気の流路を、上方だけに制限する囲い部材１７が設けられ、囲い部材１７の内部には、回転角度が可変であるダンパー１８が設けられている。ダンパー１８の回転角度は、図４に示すとおり、操作つまみ１９によって、ハウジング２の外から変更操作することが可能である。このように囲い部材１７とダンパー１８とを設ける場合には、軸流ファン６の回転速度の調節だけでは十分ではない場合にも、ダンパー１８を回転させて、閉塞体１２の空気供給口１３から噴出する空気の量や圧力を調節することが可能となる。
【００３３】
図５は、本発明の混合ガスユニット１の更に他の例を示す縦断面図である。本例においては、ハウジング２が、空気吸引口３、フィルターエレメント５、及び軸流ファン６を有する部分２ｂと、電磁弁９、駆動・制御ユニット１５、ガス混合部α、及び混合ガス接続部４を有する部分２ａとの間で、２つに、着脱自在に分割されている。空気吸引口３、フィルターエレメント５、及び軸流ファン６を有する部分２ｂは、ファンユニット２０を構成し、電磁弁９、駆動・制御ユニット１５、ガス混合部α、及び混合ガス接続部４を有する部分２ａは、混合ガスユニット本体１’を構成している。
【００３４】
２１ａ、２１ｂは、それぞれハウジング２ａ、２ｂの接続部であり、ファンユニット２０の接続部２ｂは、ファンユニット２０の空気送出口を兼ねている。２２ａ、２２ｂは、それぞれファンユニット２０と混合ガスユニット本体１’との電気的接続のためのコネクタ、２３はファンユニット２０の蓋である。蓋２３は、図に破線で示すとおり、ハウジング２ｂに対して着脱自在に取り付けられているので、例えば、フィルターエレメント５の清掃や交換は、この蓋２３を取り外して行うことができる。
【００３５】
使用に際しては、ファンユニット２０の空気送出口を兼ねる接続部２１ｂを混合ガスユニット本体１’の接続部２１ａに対し、差し込むか、ねじ込むなどして、ファンユニット２０と混合ガスユニット本体１’とを機械的に接続し、併せて、コネクタ２１ａと２１ｂとを接続して、ファンユニット２０と混合ガスユニット本体１’とを電気的にも接続する。この接続により、ファンユニット２０の軸流ファン６は、図１に示した例におけると同様に、駆動・制御ユニット１５の制御下に入り、上述したと同様に回転駆動される。
【００３６】
このように、混合ガスユニット本体１’とファンユニット２０とを別体とする場合には、互いの接続部２１ａ、２１ｂの形状や、コネクタ２２ａ、２２ｂの形状を合わせておけば、送風能力やファンの型の異なった種々のファンユニット２０と、電磁弁９の種類や駆動・制御ユニット１５の装備が異なった種々の混合ガスユニット本体１’とを、その都度、状況に合わせて適宜組み合わせて使用することができるので、極めて便利である。
【００３７】
図６は、本発明の混合ガスユニット１のさらに他の例を示す縦断面図である。本例においては、ハウジング２が、空気吸引口３及びフィルターエレメント５を有する部分２ｄと、電磁弁９、駆動・制御ユニット１５、軸流ファン６、ガス混合部α、及び混合ガス接続部４を有する部分２ｃとの間で、２つに、着脱自在に分割されている。空気吸引口３及びフィルターエレメント５を有する部分２ｄは、フィルターユニット２４を構成し、電磁弁９、駆動・制御ユニット１５、軸流ファン６、ガス混合部α、及び混合ガス接続部４を有する部分２ｃは、混合ガスユニット本体１’を構成している。２１ｃ、２１ｄは、それぞれハウジング２ｃ、２ｄの接続部であり、２５はフィルターユニット２４の蓋である。なお、２６は仕切り壁である。
【００３８】
使用に際しては、フィルターユニット２４の接続部２１ｄを混合ガスユニット本体１’の接続部２１ｃに対し、差し込むか、ねじ込むなどして、フィルターユニット２４と混合ガスユニット本体１’とを機械的接続すれば良い。接続した状態で軸流ファン６が回転すると、燃焼用空気は、フィルターユニット２５の空気吸引口３から吸引され、フィルターエレメント５を通過し、混合ガスユニット本体１’のハウジング２ｃ内に入り、ハウジング２ｃ内を流れて電磁弁９や駆動・制御ユニット１５、更には軸流ファン６と熱交換をして温められたあと、仕切り壁２６よりもガス接続口４側に位置している閉塞体１２へと向かい、空気供給口１３から混合部αへと噴出する。
【００３９】
図１又は図５に示した例においては、軸流ファン６は、電磁弁９や駆動・制御ユニット１５よりも空気吸引口側に配置されており、ハウジング２内の電磁弁９や駆動・制御ユニット１５は、軸流ファン６の正圧側に配置されていたが、本例の混合ガスユニット１においては、上述したとおり、軸流ファン６が混合ガスユニット本体１’のハウジング２ｃ内に配置されており、ハウジング２ｃ内の電磁弁９や駆動・制御ユニット１５は、軸流ファン６の負圧側に配置されていることになる。このように、本発明においては、電磁弁９や駆動・制御ユニット１５は、ファンの正圧側、負圧側のどちらに配置しても良い。
【００４０】
図６に示すように、フィルターエレメント５だけをフィルターユニット２４として構成するときには、フィルターエレメント５が目詰まり等を起こした場合にも、フィルターユニット２４だけを交換すれば良いので便利である。
【００４１】
図７は、本発明の混合ガスユニット１のさらに他の例を示す縦断面図、図８は図７のＺ−Ｚ’断面図、図９は図７のγ−γ’断面図である。本例においては、混合ガスユニット１の上部にバーナ２７が接続されており、全体として小型のユニットバーナを構成している。
【００４２】
すなわち、空気吸引口３は、混合ガスユニット１のハウジング２の下面に開口しており、空気吸引口３には、板状のフィルターエレメント５が取り付けられている。軸流ファン６が回転すると、燃焼用空気は、空気吸引口３からフィルターエレメント５を通過してハウジング２内に吸引され、軸流ファン６内を抜けて、閉塞体１２へと送出される。閉塞体１２には、空気供給口１３が設けられており、燃焼用空気は、この空気供給口１３から混合部αへと噴出する。
【００４３】
一方、ガス接続口７から供給される燃料ガスは、燃料ガス供給管１０を通り、その封止された先端部近傍に設けられた燃料ガス供給口１１から混合部αへと噴出し、そこで空気供給口１３から噴出する空気と混合する。混合ガスは、燃料ガス供給管１０に沿ってガス接続口７の側に戻り、上方に向かって開口している混合ガス接続口４からバーナ２７へと供給される。
【００４４】
バーナ２７は、多孔板２８と、その上部に配置されたメタルニット２９と、図示しない点火装置を備えており、多孔板２８の下面に供給された混合ガスは、多孔板２８内を拡散して通過し、メタルニット２９の表面で表面燃焼する。３０は、混合ガス接続口４から供給される混合ガスを多孔板２８の下面に均一に行き渡らせるための邪魔板、３１はハウジング２の天板である。なお、バーナ２７は、メタルニット２９を用いた表面燃焼式のバーナに限られない。例えば、メタルニット２９に代えて、複数の炎孔を備えたバーナプレートを配置しても良いし、二次空気の供給口を設けて、有炎で燃焼させるようにしても良い。
【００４５】
また、本例においては、流量を調節された燃料ガスがガス接続口７から供給されるので、混合ガスユニット１内に電磁弁は設けられていないが、必要があれば、ハウジング２内に複合電磁弁などの電磁弁９を配置しても良いことは勿論である。
【００４６】
本例におけるように、本発明の混合ガスユニット１は、その混合ガス接続口４にバーナ２７を接続して、バーナ２７と組み合わせて小型のユニットバーナとして用いることもできる。本発明の混合ガスユニット１とバーナ２７とを組み合わせた本発明のユニットバーナにおいては、軸流ファン６や、駆動・制御ユニット１５がハウジング２内に配置されているので、全体をコンパクトにまとめることができ、例えば、図示の例のように、混合ガスユニット１の上部にバーナ２７を配置することで、非常に小型でコンパクトなユニットバーナを構築することができる。
【００４７】
図１０は、本発明のファンユニット２０の応用例を示す部分断面側面図である。図において、７はガス接続口、βは調節弁、αは混合部、２７はバーナであり、ファンユニット２０は、接続管３２を介して、混合部αに接続されている。１６ａは、接続管３２に接続される図示しない空気圧力スイッチ１６の空気圧検出用の開口である。
【００４８】
ガス接続口７、調節弁β、混合部α、バーナ２７は、いずれも既存の機器であって良く、その混合部αに本発明のファンユニット２０を接続することで、バーナ２７を燃焼動作させることができる。バーナ２７としては、表面燃焼式バーナであっても良いし、１又は複数の炎孔を備えたバーナプレートを用いる有炎燃焼のバーナであっても良く、全一次空気式であっても、二次空気を供給するものであっても良いことは勿論である。
【００４９】
本発明のファンユニット２０は、円筒型のフィルターエレメント５内に、それと同軸に軸流ファン６を配置した非常にコンパクトな構成であるので、燃焼用空気の供給を必要とする既存のバーナ設備に使用して汎用性があり、かつ、取り付けに大きなスペースを必要としないので、非常に便利である。
【産業上の利用可能性】
【００５０】
以上説明したように、本発明の混合ガスユニット及びファンユニットによれば、バーナなどの燃焼装置をコンパクトで小型のものにすることができるとともに、電磁弁やその他の制御機器やファンなどから発せられる熱も有効に利用することができるので、エネルギー経済的に非常に有利である。本発明が、バーナ等の燃焼装置を利用する産業分野に与える影響は大きく、その産業上の利用可能性には多大のものがある。
【符号の説明】
【００５１】
１            混合ガスユニット
２、２ａ〜２ｄ    ハウジング
３            空気吸引口
４            混合ガス接続口
５            フィルターエレメント
６            軸流ファン
７            ガス接続口
８            燃料ガス管
９            電磁弁
１０          燃料ガス供給管
１１          燃料ガス供給口
１２          閉塞体
１３          空気供給口
１４          固定部材
１５          駆動・制御ユニット
１６          空気圧力スイッチ
１７          囲い部材
１８          ダンパー
１９          操作つまみ
２０          ファンユニット
２１ａ〜２１ｄ    接続部
２２ａ、２２ｂ    コネクタ
２３、２５    蓋
２４          フィルターユニット
２６          仕切り壁
２７          バーナ
２８          多孔板
２９          メタルニット
３０          邪魔板
３１          天板
３２          接続管
α            混合部
β            調節弁
【図１】
2011099658.tif 000003
【図２】
2011099658.tif 000004
【図３】
2011099658.tif 000005
【図４】
2011099658.tif 000006
【図５】
2011099658.tif 000007
【図６】
2011099658.tif 000008
【図７】
2011099658.tif 000009
【図８】
2011099658.tif 000010
【図９】
2011099658.tif 000011
【図１０】
2011099658.tif 000012